(57)【要約】【課題】タバコ利用者に必要最小限の本数の紙巻きタバコとライタを同じケースに入れて持ち歩き出来るようにし、ライタ忘れを防止し、かつ胸ポケットやハンドバックに入れて携帯に便利としたライタ入りシガレットケースを得ることである。【解決手段】ライタ入りシガレットケース１は、一端を閉じたケース本体２内に仕切板３を設けて区画し、一方の内部に紙巻きタバコ４の複数本を横一列に並べて収容し、他方の内部に使い捨てライタ５を収容し、ケース本体２の開放端側を封止部材のキャップ２H で着脱自在に閉じる。使用の際はキャップ２H を外し、紙巻きタバコ４とライタ５を取り出して使用することによりライタ忘れが防止される。シガレットケース１は、薄形であるためシャツの胸ポケットやハンドバック片隅に入れることができ、携帯に極めて便利である。【選択図】図１
0003108906.tif 000002
【実用新案登録請求の範囲】
【請求項１】
紙巻きタバコを収容する一端を閉じたケース本体内に紙巻きタバコの複数本を横一列に収容し、このタバコ列と区画する仕切りを設けて隣接して薄形ライタとを収容し、ケース本体は硬質又は半硬質の薄いプラスチック材で紙巻きタバコと薄形ライタを、それぞれの径又は厚みを内寸法として形成したケースとし、他端に着脱自在又は開閉自在の封止部材を設けて成るライタ入りシガレットケース。
【請求項２】
前記ケース本体の閉塞端をケース本体の長手方向の一端に形成し、他端に封止部材としてキャップを着脱自在に設けたことを特徴とする請求項１に記載のライタ入りシガレットケース。
【考案の詳細な説明】
【技術分野】
【０００１】
この考案は、ライタを収納したライタ入りシガレットケースに関する。
【背景技術】
【０００２】
嗜好品としてのタバコは、葉巻き以外の紙巻きタバコでは硬質紙ケース又はソフト紙ケースに２０本又は１０本入りを１箱として一般に販売されている。このようなタバコを吸う愛煙家の人は、外出する際に販売されたケース入りのタバコを１箱そのまま持ち歩く場合が多いが、中には外出中はシガレットケースに８〜１０本を入れて持ち歩く場合もある。シガレットケースは、タバコ各本を横に偏平に並べて収納しているため、厚さが薄く携帯に便利であり、広く普及している。
【０００３】
紙ケース入りのタバコをそのまま持ち歩く、あるいはシガレットケースに入れて持ち歩くそのいずれの場合であれ、タバコを吸う際には当然マッチ又はライタで着火する必要があるが、着火手段としては安価な使い捨てライタが現在では広く普及しており、多くの愛煙家達は紙ケース入りのタバコと使い捨てライタを一緒に持ち歩いている。シガレットケースを持ち歩く人の場合も、使い捨てライタを一緒に持ち歩く人が多い。但し、ライタは必ずしも使い捨てライタに限らず、充填式のライタを利用している人も少数派であるが存在する。
【０００４】
しかし、紙ケース入りの紙巻きタバコは、例えば２０本入りのものでは厚みが厚く、男性の場合胸のポケットに入れることができないため、ズボン又は背広の脇ポケットに入れ、女性はハンドバックに入れることとなり、いずれの人達にも紙ケース入りのまま持ち歩くのは不便であり、外で２０本全部を吸わない人には紙ケース入りのままでは不要な本数の紙巻きタバコを持ち歩くこととなる。又、紙ケース入りの紙巻きタバコとライタを別々に持ち歩く場合、しばしばライタを忘れがちであり、タバコを吸いたい場合にライタがないという不都合が起こることがある。
【考案の開示】
【考案が解決しようとする課題】
【０００５】
この考案は、上記の問題に留意して、タバコ利用者に必要最小限の本数の紙巻きタバコとライタを同じケースに入れて持ち歩き出来るようにし、ライタ忘れを防止し、かつ胸ポケットやハンドバックに入れて携帯に便利としたライタ入りシガレットケースを提供することを課題とする。
【課題を解決するための手段】
【０００６】
この考案は、上記の課題を解決する手段として、紙巻きタバコを収容する一端を閉じたケース本体内に紙巻きタバコの複数本を横一列に収容し、このタバコ列と区画する仕切りを設けて隣接して薄形ライタとを収容し、ケース本体は硬質又は半硬質の薄いプラスチック材で紙巻きタバコと薄形ライタを、それぞれの径又は厚みを内寸法として形成したケースとし、他端に着脱自在又は開閉自在の封止部材を設けて成るライタ入りシガレットケースとしたのである。
【０００７】
上記の構成としたこの考案のライタ入りシガレットケースは、持ち歩きする前に予め必要最小限の本数の紙巻きタバコを挿入し、かつライタを入れて封止部材で開放側を閉じる。使用の際は、封止部材を外し、紙巻きタバコを取り出し、同時にライタを取り出して使用する。使用後はライタをシガレットケースに再び挿入し、封止部材で閉じる。従って、ライタを忘れることがなく、紙巻きタバコを吸いたい場合必ずライタを使用できる。又、シガレットケースは偏平であるため、男性はシャツの胸ポケットに入れて、女性はハンドバックの片隅に入れることにより携帯の便がよくなり、利用し易くなる。
【考案の効果】
【０００８】
この考案のライタ入りシガレットケースは、ライタを必要最小限の紙巻きタバコと一緒にケース本体内に同封して持ち運び自在としたから、ライタ忘れを防止すると共に、胸ポケットやハンドバックの片隅に入れることにより携帯の便がよくなるという効果が得られる。
【考案を実施するための最良の形態】
【０００９】
以下、この考案の実施形態について図面を参照して説明する。図１は第１実施形態のライタ入りシガレットケースの（ａ）外観斜視図、（ｂ）（ａ）図の矢視Ｂ−Ｂの断面図、（ｃ）（ａ）図の矢視Ｃ−Ｃの断面図、（ｄ）（ａ）図の矢視Ｄ−Ｄの平面図である。シガレットケース１は、ケース本体２を薄い硬質又は半硬質のプラスチック材（透明、又は薄く着色された半透明、あるいは着色不透明のいずれでも可）で下端を閉じた偏平なケースとして形成され、その内部に仕切板３を設けて複数本の紙巻きタバコの複数本（５〜８本程度）を一方のスペースに、使い捨てライタを他方のスペースに収容し、上部の開放端には着脱自在のキャップ２H を被せるように組合わせて形成されている。
【００１０】
ケース本体２のプラスチック材は、塩化ビニール、あるいはアクリル樹脂など一体成形される樹脂材であればよく、材料厚みは０．２〜数ｍｍ程度である。又、ケース厚さｄは、複数本の紙巻きタバコを一列に隣接して収容でき、かつ使い捨てライタの厚さも収容できる最小厚さとする。ケース本体２の幅Ｂは、紙巻きタバコを一列に並べた上記複数本（但し、１０本を超えない範囲）と使い捨てライタ１つを入れるに必要な最小幅とする。これ以上の幅とすると長過ぎて携帯に不便となるからである。さらに、ケース本体２の長さＬは、通常の紙巻きタバコの長さはほぼ使い捨てライタと同程度であるから両者を収容できる最小長さとする。
【００１１】
紙巻きタバコ、使い捨てライタの種類の組合わせを種々考慮すると、上記ケース本体２のサイズは次の通りの寸法の範囲内で数種類を用意するのが好ましい。
【００１２】
本体ケース厚    約１０ｍｍ
幅    ９０〜１００〜１１０ｍｍ
長さ  ７０〜８０〜１３０ｍｍ
なお、上記寸法はキャップ２H を含めた寸法である。長さに大きなサイズの違いがあるのは、普通サイズ、ロングサイズの紙巻きタバコがあり、かつケース上方にある程度の余裕を設けるためである。
【００１３】
キャップ２H は、ケース本体２の上部の開放端に着脱自在に装着する形式としている。但し、図１の（ｂ）、（ｃ）図に示すように、キャップ２H の内側には下端寄り位置に小さな突部６が設けられ、キャップ２H をケース本体２の上部に差込んだ時所定位置で嵌合する凹部をケース本体２の上端付近の対応する位置に設けている。
【００１４】
図２にはキャップ２H をヒンジ７を用いて回転させ、開閉する方式とした変形例を示す。（ａ）図の形式では断面コ字状のキャップ２H を開閉するため、ケース本体２の上部に少し余白スペースを設ける。ヒンジ７は、図示の例では外部へ突出して設けられているが、ケース本体２内に埋込形としてもよい。（ｂ）図の形式ではキャップ２H は蓋板形式で、ヒンジ７により開閉するように設けられている。ヒンジ７は、この場合も外部へ突出して設けているが、ケース本体２内に埋込形としてもよい。
【００１５】
図３には第２実施形態のライタ入りシガレットケース１’の外観斜視図を示す。このシガレットケース１’は、キャップ２H でなく、ケース本体２’が皿形としてその片面が開放され、その開放面に蓋板２ａがヒンジ７’により開閉自在に装着されている。蓋板２ａの前端縁はケース本体２’の上端縁に嵌合し、両端縁に設けた凹凸部６’により係合して閉じるように形成されている。
【００１６】
上記の構成とした第１実施形態、その変形例、第２実施形態のライタ入りシガレットケースは、いずれもできるだけ小形、軽量化され、コンパクトで携帯に便利なように形成されている。最大寸法のものでも、男性のワイシャツ又は背広の胸ポケットに差込むことができる薄形でシンプルな形状であるため、常に身に付けて携帯できる。女性の場合は、ハンドバックの中に入れても邪魔にならない程薄く、シンプルであるため、やはりどこへでも携帯できる。使用時には、キャップ２H 又は蓋板２ａを開けば、紙巻きタバコ４を取り出すと共に常に収納されている使い捨てライタ５を必ず一緒に利用できるため、両者を別々に、通常のタバコケースであればポケット、ハンドバックに入れて持ち歩く必要がなく、ライタ５を忘れることもない。なお、上記実施形態ではライタは安価な使い捨てライタとしたが、同程度の小型の充填式ライタを利用するようにしてもよい。
【産業上の利用可能性】
【００１７】
この考案のライタ入りシガレットケースは、紙巻きタバコとライタを常に同一ケースに入れ、これをポケット、ハンドバックに挿入して携帯するものであるから、愛煙家に広く利用され得る。
【図面の簡単な説明】
【００１８】
【図１】第１実施形態のライタ入りシガレットケースの（ａ）外観斜視図、（ｂ）（ｃ）図の矢視Ｂ−Ｂの断面図、（ｃ）（ａ）図の矢視Ｃ−Ｃの断面図、（ｄ）（ａ）図の矢視Ｄ−Ｄの平面図
【図２】キャップの変形例を示す部分断面図
【図３】第２実施形態のライタ入りシガレットケースの外観斜視図
【符号の説明】
【００１９】
１    ライタ入りシガレットケース
２    ケース本体
３    仕切板
４    紙巻きタバコ
５    使い捨てライタ
６    突部
７    ヒンジ
【図１】
0003108906.tif 000003
【図２】
0003108906.tif 000004
【図３】
0003108906.tif 000005